(57)【特許請求の範囲】
【請求項１】
ウーリーナイロン製の弾性紐からなる環状のループ体上に、当該ループ体上を摺動し所定の位置で駐止する締め具を、前記ウーリーナイロン製弾性紐どうしを短絡して当該ループ体が８の字を構成するように取り付けたものからなるストラップであって、
前記締め具は、前記ウーリーナイロン製弾性紐を通し、該２本のウーリーナイロン製弾性紐の径の合計よりも小さい内径である第一の孔と第二の孔とを有し、前記ループ体の８の字の一方の環を、第一の孔から第二の孔に抜けてから更に第一の孔から第二の孔に抜ける二重輪により構成し、
前記ループ体の８の字の一方の環をボトルのネック部分に繋止させ、前記締め具を移動させて当該一方の環を縮めることにより当該ボトルのネック部分を前記ウーリーナイロン製弾性紐で締め付け固定し、前記ループ体の８の字の他方の環を把持することにより前記ボトルを懸吊する飲料用ペットボトル吊下げ携帯用のストラップ。
【請求項２】
ウール７〜１５％、ナイロン９３〜８５％のウーリーナイロン製の弾性紐からなることを特徴とする請求項１記載の飲料用ペットボトル吊下げ携帯用のストラップ。
【発明の詳細な説明】
【０００１】
【発明の属する技術分野】
本発明は、飲料水、お茶等の飲料を貯留する飲料用ボトルを吊り下げ携帯するために用いられるストラップ、特に５００ｍｌサイズのペットボトルの吊り下げ携帯に好適な飲料用ボトル吊下げ用のストラップに関する。
【０００２】
【従来の技術】
飲料用ボトル吊下げ用のストラップの従来技術としては、実用新案登録３０４１６５４号（平成９年７月９日発行の実用新案掲載公報）に係る容器吊下げ具がある。この従来技術に係る容器吊下げ具は、要するに、ボトル容器のネック部分に嵌め込む嵌着具（吊下げ具本体）を紐（吊下げ手段）につなげたものであって、嵌着具は嵌め込み口を備える切欠き輪状部材で構成されており、ボトル容器のネック部分を嵌着具の嵌め込み口から当該嵌着具内に押し込むことによってボトル容器を嵌め込む。嵌着具に嵌め込まれたボトルは、嵌着具につながっている紐を把持することによって吊り下げることができる。
【０００３】
このような従来技術に係るストラップに限られず、飲料用ボトル吊下げ用のストラップの一般的な利点は、喉が乾いたときに、嵌着具をボトル容器から外すことなく、そのままの状態で栓を開け、そこに充填されている飲料を飲むことができることである。この場合において、ストラップの紐は肩や首にもかけることができるので、手でボトル容器を保持して携帯した場合とは異なり、形態時の両手の自由度が常に確保されている。これは、リュックやカバン等に入れて携帯するほどのものではないが、衣服のポケットに入れて携帯するには嵩高く、煩わしさが伴うような大きさのものの形態に好適である。このため、ストラップ自体は飲料用ボトルを単純に吊り下げるための道具ではあるが、最近では特に５００ｍｌサイズの飲料入り容器の携帯に多用される傾向にある。また、携帯される飲料はミネラルウォータが一般的であるが、それは清涼飲料等とは異なり、ミネラルウォータは保冷の必要がなく、しかも小分けにして飲用することのほうが多いために、飲料の残存液量が外から視認可能なようにしたまま、必要時に手軽に飲むことができるような状態にしておくのが良いからである。
【０００４】
【発明が解決しようとする課題】
しかし、上述した従来技術に係る飲料用ボトル吊下げ用のストラップでは、嵌着具にボトル容器を嵌め込むのに力が要り、しかも嵌め込み口からボトル容器が抜け出てしまうおそれがある。特に飲料が満杯状態にある場合にはその危険性が増大することとなるが、それを完全に防止できるように嵌着具を硬くしてしまうと、その嵌着具にボトル容器を嵌め込んだり外したりする作業に難渋することになる。
【０００５】
本発明は以上のような課題に鑑みてなされたものであり、ボトル容器の脱落がほぼ完全に防止できると共に、簡易かつ簡便にボトル容器を着脱できる飲料用ボトル吊下げ用のストラップを提供することにある。
【０００６】
【課題を解決するための手段】
以上のような課題を解決するために、本発明に係る飲料用ボトル吊下げ用のストラップにおいては、弾性紐からなる環状のループ体の一部に環を形成し、その環を縮めることによりボトルのネック部分を弾性紐で締め付け固定して吊り下げるようにしている。
【０００７】
より具体的には、本発明においては以下のような飲料用ボトル吊下げ用のストラップを提供する。
【０００８】
（１）  弾性紐が使用されたボトル吊下げ用のストラップ。
【０００９】
（２）  ウーリーナイロン製の弾性紐が使用されたボトル吊下げ用のストラップ。
【００１０】
（３）  ボトルのネック部分を弾性紐の輪で締め付け固定することを特徴とするボトル吊下げ用のストラップ。
【００１１】
（４）  ボトル吊り下げのために把持する部分と一体となった弾性紐の輪でボトルのネック部分を締め付け固定することを特徴とするボトル吊下げ用のストラップ。
【００１２】
（５）  弾性紐からなる環状のループ体上に、当該ループ体上を摺動し所定の位置で駐止する締め具を、前記弾性紐どうしを短絡して当該ループ体が８の字を構成するように取り付けたものからなるストラップであって、前記ループ体の８の字の一方の環をボトルのネック部分に繋止させ、前記締め具を移動させて当該一方の環を縮めることにより当該ボトルのネック部分を前記弾性紐で締め付け固定し、前記ループ体の８の字の他方の環を把持することにより前記ボトルを懸吊するストラップ。
【００１３】
（６）  弾性紐からなる環状のループ体上に、当該ループ体上を摺動し所定の位置で駐止する締め具を、前記弾性紐どうしを短絡して当該ループ体が８の字を構成するように取り付けたものからなるストラップであって、前記締め具は、前記弾性紐を通す第一の孔と第二の孔とを有し、前記ループ体の８の字の一方の環を、第一の孔から第二の孔に抜けてから更に第一の孔から第二の孔に抜ける二重輪により構成し、前記ループ体の８の字の一方の環をボトルのネック部分に繋止させ、前記締め具を移動させて当該一方の環を縮めることにより当該ボトルのネック部分を前記弾性紐で締め付け固定し、前記ループ体の８の字の他方の環を把持することにより前記ボトルを懸吊するストラップ。
【００１４】
（７）  ウーリーナイロン製の弾性紐からなる環状のループ体上に、当該ループ体上を摺動し所定の位置で駐止する締め具を、前記ウーリーナイロン製弾性紐どうしを短絡して当該ループ体が８の字を構成するように取り付けたものからなるストラップであって、前記締め具は、前記ウーリーナイロン製弾性紐を通す第一の孔と第二の孔とを有し、前記ループ体の８の字の一方の環を、第一の孔から第二の孔に抜けてから更に第一の孔から第二の孔に抜ける二重輪により構成し、前記ループ体の８の字の一方の環をボトルのネック部分に繋止させ、前記締め具を移動させて当該一方の環を縮めることにより当該ボトルのネック部分を前記ウーリーナイロン製弾性紐で締め付け固定し、前記ループ体の８の字の他方の環を把持することにより前記ボトルを懸吊するストラップ。
【００１５】
（８）  本発明で使用される弾性紐の素材として好適なのはウーリーナイロンである。ここで、ウーリーナイロンはウールとナイロンからなる素材であり、本発明においてその組成はウール７〜１５％で、ナイロン９３〜８５％であることが好ましい。しかしながら、本発明で使用される弾性紐はボトルのネック部分を締め付け固定できる弾性と引っ張り強さを有するものであればいかなるものをも使用することができ、特に上記組成のウーリーナイロンと同等の弾性・機能を有するものであればいかなるものも使用できる。但し、素材の選択にあたっては、上記組成のウーリーナイロンと同様、ボトルを携帯しながら動いたときに伸縮することが使用者にとって煩わしくないようなものであることも考慮される。
【００１６】
以上のような本発明に係るストラップと従来技術に係るストラップ（実用新案登録３０４１６５４号）との機能面における大きな差は、吊り下げ携帯の継続によりボトルのネック部分を縛り上げる力が増加し、落下の危険性が低減されるようになることである。即ち、吊り下げ携帯という本発明の本来的な使用行為により必然的に安全性が増すのである。
【００１７】
更に、本発明に係るストラップは、従来技術に係るストラップよりも簡易・簡便性に優れるという利点も有している。
【００１８】
加えて、本発明それ自体の技術的な意義は、安定した吊り下げ携帯を実現させるにあたって本来好適とされない弾性紐を使用したことにある。そして、このような逆説的な工夫に加え、弾性紐の使用により、ボトル吊り下げのために把持する部分とボトルのネック部分を締め付け固定する部分を一体とし、部品点数の減少を実現しているのである。
【００１９】
【発明を実施するための形態】
図１は本発明に係るストラップの実施形態を示したものであり、図１（Ａ）は平面図、図１（Ｂ）は正面図、図１（Ｃ）は図１（Ｂ）のＡ−Ａ断面図、図１（Ｄ）は同Ｂ−Ｂ断面図を示したものである。
【００２０】
本発明に係るストラップ１１は、ウーリーナイロン製の弾性紐からなる環状のループ体１３に締め具１４を取り付けたものを基本的な構成としている。本発明に係るストラップ１１においては、締め具１４の存在により弾性紐どうしが短絡され、ループ体１３全体としては８の字を形成することになるが、締め具１４自体はループ体１３の上を摺動でき、この摺動により８の字の交差部分が移動し、８の字の各々の輪の大きさを変更することができる。加えて、締め具１４にはループ体１３を通す第一の孔１４ａ及び第二の孔１４ｂが設けられており、この孔には後述するようにそれぞれ２本の弾性紐が通されることになるが、この孔の内径は各々２本の弾性紐の径の合計よりも若干小さく設定されているため、締め具１４の摺動には多少の力が必要となる。このため、締め具１４はループ体１３の上を摺動できるものの、基本的には当該ループ体１３上の所定の位置で駐止させることができる。
【００２１】
このようなストラップ１１においては、ループ体１３の８の字の一方の環１３ａをボトル１５のネック部分１５ａにくぐらせて繋ぎ止め（図２（Ｂ））、締め具１４をボトル側に移動させてループ体１３の一方の環１３ａを縮めることにより、ボトル１５のネック部分１５ａを弾性紐で締め付け固定する。そして、ループ体１３の８の字の他方の環１３ｂの部分を把持することにより、ループ体１３の一方の環１３ａで繋止されたボトル１５を懸吊することができる（図２（Ａ））。
【００２２】
図３は、本発明に係るストラップ１１における締め具１４に対する弾性紐の通し方を説明するためのブロック図である。但し、この図３では原理を説明する便宜のために、第一の孔１４ａ及び第二の孔１４ｂを大きく描いてある（これらの内径の大きさは実際には、上述のように２本の弾性紐の径の合計よりも若干小さく設定されている（図１（Ｄ）））。
【００２３】
締め具１４は前述したように弾性紐を通す第一の孔１４ａと第二の孔１４ｂとを有しているが、本発明に係るストラップ１１においては、図３（Ａ）に示されるように、ループ体１３の８の字の一方の環１３ａを、第一の孔１４ａから第二の孔１４ｂに抜けてから更に第一の孔１４ａから第二の孔１４ｂに抜ける二重輪により構成している。
【００２４】
このようにボトル１５のネック部分１５ａを繋ぎ止める方の環１３ａを二重輪で構成することにより、弾性紐による締め付けが確実となって、ボトル１５の落下の危険性が著しく低減され、安全性が高まる。更に言えば、このような構成とすることで、図３（Ａ）に示されるように、把持される他方の環１３ｂにつながる弾性紐１３ｂ１，１３ｂ１のほうが必然的に、弾性紐１３ａ１，１３ａ１よりも外側に配置されることになる（弾性紐１３ａ１，１３ａ１の方を外側に配置したとしても、使用を継続すると、結局は弾性紐１３ｂ１，１３ｂ１の方が外側になるように弾性紐自身が移動してしまう）。そして、弾性紐１３ａ１，１３ａ１の外側を滑る弾性紐１３ｂ１，１３ｂ１の引っ張り力により、内側の弾性紐１３ａ１，１３ａ１で確実にボトル１５のネック部分１５ａを締め付けることになり、図３（Ｂ）のような単純ループの場合よりも懸吊状態での緩みが確実に防止できるようになる。
【００２５】
但し、吊り下げるボトル１５が著しく軽く、懸吊状態での緩みがあまり問題にならないようなときなど、場合によっては図３（Ｂ）に示すような単純ループの態様を採用することもできる。
【００２６】
本発明に係る飲料用ボトル吊下げ用のストラップは、首や肩に吊下げたり、ズボン、リュック、カバン等の適宜部分に吊下げて携帯することができる。吊下げ携帯するボトル型容器としては、一般的に市販されている５００ｍｌサイズのＰＥＴボトルが好適であるが、他のサイズのボトルは勿論のこと、ボトルの材質もプラスチックに限られず、金属やガラス等で形成されたものでもよい。ボトルに貯留・充填される飲料もミネラルウォータに限られず、清涼飲料水、炭酸飲料、お茶、酒類等のあらゆるものを貯留・充填することができる。
【００２７】
【発明の効果】
以上のような本発明に係る飲料用ボトル吊下げ用のストラップは、ボトルの着脱が従来のものよりも簡易・簡便であり、しかもボトル落下の危険性が著しく低減されているために安全性も高い。
【００２８】
また、把持する部分とボトルのネック部分を締め付け固定する部分の部材が同じであるため、従来品（実用新案登録３０４１６５４号）よりも部品点数が少なく、製造が容易であるという生産性の面での利点も有する。
【００２９】
従って、本発明によれば、従来品よりも性能の良好なものを容易に提供できることになる。
【図面の簡単な説明】
【図１】  本発明に係るストラップ１１の実施形態を示したものであり、図１（Ａ）は平面図、図１（Ｂ）は正面図、図１（Ｃ）は図１（Ｂ）のＡ−Ａ断面図、図１（Ｄ）は同Ｂ−Ｂ断面図を示した図である。
【図２】  本発明に係るストラップ１１の使用態様を説明するための図である。
【図３】  本発明に係るストラップ１１における締め具１４に対する弾性紐の通し方を説明するためのブロック図である。
【符号の説明】
１１  ストラップ
１３  ループ体
１３ａ  ループ体１３の８の字の一方の環
１３ｂ  ループ体１３の８の字の他方の環
１４  締め具
１４ａ  締め具１４の第一の孔
１４ｂ  締め具１４の第二の孔
１５  ボトル
１５ａ  ボトル１５のネック部分
【図１】
0004219009.tif 000002
【図２】
0004219009.tif 000003
【図３】
0004219009.tif 000004